(57)【特許請求の範囲】
【請求項１】
ランプ装着状態位置のランプ軸方向に対して、ランプの先端側をある角度傾けたランプ挿脱位置よりランプを挿脱可能とし、回動操作によって前記ランプ装着状態位置に復帰する片口金ランプソケットにおいて、
ソケット本体と、
照明器具に取付けられる取付台と、
この取付台と前記ソケット本体のいずれか一方に設けられた回転軸と、他方に設けられて前記回転軸が嵌合する溝穴からなり、前記ソケット本体を前記取付台に回動自在に保持する回動機構部と、
前記ソケット本体と前記取付台にそれぞれ設けて前記ランプ装着状態位置から前記ランプ挿脱位置に前記ソケット本体が回動するのを規制する係合部と、
前記ソケット本体を前記ランプのある前方に押圧するとともに前記ランプ挿脱位置から前記ランプ装着状態位置へ回動付勢するスプリングとを備え、
前記ソケット本体は、前記回転軸を中心に前記ランプ挿脱位置と前記ランプ装着状態位置との間を回動するとともに、前記溝穴に沿って前記係合部が係脱自在にランプ挿入方向にスライド移動可能であることを特徴とする片口金ランプソケット。
【請求項２】
前記溝穴は前記ソケット本体に有し、前記回転軸は前記取付台に有する請求項１記載の片口金ランプソケット。
【請求項３】
前記回転軸は前記ソケット本体に有し、前記溝穴は前記取付台に有する請求項１記載の片口金ランプソケット。
【請求項４】
前記回動機構部を前記ソケット本体の両側面に設け、前記係合部を前記回動機構部と同じ前記両側面の２箇所に設けた請求項１記載の片口金ランプソケット。
【請求項５】
前記回動機構部に前記係合部の機能を持たせた請求項４記載の片口金ランプソケット。
【請求項６】
前記係合部を前記ソケット本体の前記取付台に接する面に設けた請求項１記載の片口金ランプソケット。
【請求項７】
前記ソケット本体を前記溝穴に沿って前記係合部が係合する方向にスライド移動させるためのスプリングを、前記ソケット本体と前記取付台との間に設けた請求項１記載の片口金ランプソケット。
【請求項８】
スプリングの数が２または４である請求項７記載の片口金ランプソケット。
【請求項９】
前記ランプ挿脱位置から前記ランプ装着状態位置の方向にトルクを与えるように、前記回転軸に対してスプリングを前記ソケット本体の外側に配置した請求項７記載の片口金ランプソケット。
【請求項１０】
前記係合部と前記回動機構部とを、前記ソケット本体に対して、前記両側面の略対角の位置に配置した請求項４記載の片口金ランプソケット。
【請求項１１】
前記係合部と前記回動機構部とを、前記ソケット本体の長手方向に対して、略平行な位置に配置した請求項４記載の片口金ランプソケット。
【請求項１２】
前記ソケット本体を前記ランプ装着状態位置から前記ランプ挿脱位置へ回動する際に弾性的に乗り越えることができる勾配を前記係合部に設けた請求項１記載の片口金ランプソケット。
【請求項１３】
前記ランプ挿脱位置と前記ランプ装着状態位置との間で前記ソケット本体を回動する際に弾性的に乗り越えることができる勾配を前記係合部に設けた請求項１記載の片口金ランプソケット。
【請求項１４】
前記ソケット本体の前記溝穴に別の径の穴を設けた請求項２記載の片口金ランプソケット。
【請求項１５】
前記取付台が樹脂製である請求項１記載の片口金ランプソケット。
【請求項１６】
請求項１、請求項２、請求項３、請求項４、請求項５、請求項６、請求項７、請求項８、請求項９、請求項１０、請求項１１、請求項１２、請求項１３、請求項１４または請求項１５記載の片口金ランプソケットを用いた照明器具。
【発明の詳細な説明】
【０００１】
【発明の属する技術分野】
この発明は、片口金蛍光灯用ソケットなどの片口金ランプソケットおよび照明器具に関するものである。
【０００２】
【従来の技術】
片口金ランプソケットにおいて、ランプをランプ軸と直交するソケットの軸を中心軸とする回動操作によって取付けるタイプのもの（たとえば実開平２−４９０８９号）は、片口金ランプソケットの弾性を有するランプピン接触片がランプの挿入に対して、ランプをランプ軸方向へ押しもどす荷重を与える。ランプを押し込みながら、回動させ、ランプ取付位置（ランプ装着状態位置）に動かした時、ランプ口金突起に対応してソケット取付台の凹部へ上述の荷重によりランプ口金突起を嵌合させランプを保持している。
【０００３】
【発明が解決しようとする課題】
しかし、この従来例の場合、ランプピン接触片の弾性による嵌合保持力をランプピン接触力として用いているため、ソケット取付台との嵌合寸法のばらつきなによって嵌合保持力が変化し、接触力も変化することになり、ランプピンとの接触が不安定となる。
【０００４】
また、接触が点接触となるため、中途半端な取付や振動に対しても影響を受けやすい。
【０００５】
ランプ口金突起と嵌合する凹部は、ランプピン接触力である嵌合保持力をランプ口金突起の凸部方向よりランプ口金突起を抱え込んで受けなければならないため、ランプの回動角度をある程度大きくしなければならない。
【０００６】
したがって、この発明の目的は、ランプピン接触とは無関係にランプを保持することができる片口金ランプソケットおよび照明器具を提供することである。
【０００７】
【課題を解決するための手段】
請求項１記載の片口金ランプソケットは、ランプ装着状態位置のランプ軸方向に対して、ランプの先端側をある角度傾けたランプ挿脱位置よりランプを挿脱可能とし、回動操作によって前記ランプ装着状態位置に復帰する片口金ランプソケットにおいて、
ソケット本体と、
照明器具に取付けられる取付台と、
この取付台と前記ソケット本体のいずれか一方に設けられた回転軸と、他方に設けられて前記回転軸が嵌合する溝穴からなり、前記ソケット本体を前記取付台に回動自在に保持する回動機構部と、
前記ソケット本体と前記取付台にそれぞれ設けて前記ランプ装着状態位置から前記ランプ挿脱位置に前記ソケット本体が回動するのを規制する係合部と、
前記ソケット本体を前記ランプのある前方に押圧するとともに前記ランプ挿脱位置から前記ランプ装着状態位置へ回動付勢するスプリングとを備え、
前記ソケット本体は、前記回転軸を中心に前記ランプ挿脱位置と前記ランプ装着状態位置との間を回動するとともに、前記溝穴に沿って前記係合部が係脱自在にランプ挿入方向にスライド移動可能であることを特徴とするものである。
【０００８】
請求項１記載の片口金ランプソケットによれば、ランプ装着機構がランプの電気接続機構と独立しているため、ランプ装着機構がランプピンと導電板の接触に影響を与えないので導通が安定する。また取付台とソケット本体の嵌合によってランプを保持するため、ランプの寸法ばらつきの影響を受けず安定してランプ保持ができる。
【０００９】
請求項２記載の片口金ランプソケットは、請求項１において、前記溝穴が前記ソケット本体に有し、前記回転軸は前記取付台に有するものである。
【００１０】
請求項２記載の片口金ランプソケットによれば、請求項１と同様な効果がある。
【００１１】
請求項３記載の片口金ランプソケットは、請求項１において、前記回転軸は前記ソケット本体に有し、前記溝穴は前記取付台に有するものである。
【００１２】
請求項３記載の片口金ランプソケットによれば、請求項１と同様な効果がある。
【００１３】
請求項４記載の片口金ランプソケットは、請求項１において、前記回動機構部を前記ソケット本体の前記両側面に設け、前記係合部を前記回動機構部と同じ両側面の２箇所に設けたものである。
【００１４】
請求項４記載の片口金ランプソケットによれば、請求項１と同様な効果がある。
【００１５】
請求項５記載の片口金ランプソケットは、請求項４において、前記回動機構部に前記係合部の機能を持たせたものである。
【００１６】
請求項５記載の片口金ランプソケットによれば、請求項４と同様な効果がある。
【００１７】
請求項６記載の片口金ランプソケットは、請求項１において、前記係合部を前記ソケット本体の前記取付台に接する面に設けたものである。
【００１８】
請求項６記載の片口金ランプソケットによれば、請求項１と同様な効果がある。
【００１９】
請求項７記載の片口金ランプソケットは、請求項１において、前記ソケット本体を前記溝穴に沿って前記係合部が係合する方向にスライド移動させるためのスプリングを、前記ソケット本体と前記取付台との間に設けたものである。
【００２０】
請求項７記載の片口金ランプソケットによれば、請求項１と同様な効果がある。
【００２１】
請求項８記載の片口金ランプソケットは、請求項７において、スプリングの数が２または４であるものである。
【００２２】
請求項８記載の片口金ランプソケットによれば、請求項７と同様な効果がある。
【００２３】
請求項９記載の片口金ランプソケットは、請求項７において、前記ランプ挿脱位置から前記ランプ装着状態位置の方向にトルクを与えるように、前記回転軸に対してスプリングを前記ソケット本体の外側に配置したものである。
【００２４】
請求項９記載の片口金ランプソケットによれば、請求項７と同様な効果のほか、スプリングが回転軸に対して下方に配置されるため、ソケット本体の先端を持ち上げる方向にトルクがかかるので、ランプ未装着時のソケット本体の位置を突起の接触により規制でき、ランプ装着時にはランプを持ち上げる助けをするため、装着がスムースに行なえる。
【００２５】
請求項１０記載の片口金ランプソケットは、請求項４において、前記係合部と前記回動機構部とを、前記ソケット本体に対して、前記両側面の略対角の位置に配置したものである。
【００２６】
請求項１０記載の片口金ランプソケットによれば、請求項４と同様な効果のほか、回動機構部と突起を対角に配置した場合は距離がとれるため、突起の乗り越えのための寸法設定に余裕ができ、小さな角度でのランプ装着が可能になる。
【００２７】
請求項１１記載の片口金ランプソケットは、請求項４において、前記係合部と前記回動機構部とを、前記ソケット本体の長手方向に対して、略平行な位置に配置したものである。
【００２８】
請求項１１記載の片口金ランプソケットによれば、請求項４と同様な効果がある。
【００２９】
請求項１２記載の片口金ランプソケットは、請求項１において、前記ソケット本体を前記ランプ装着状態位置から前記ランプ挿脱位置へ回動する際に弾性的に乗り越えることができる勾配を前記係合部に設けたものである。
【００３０】
請求項１２記載の片口金ランプソケットによれば、請求項１と同様な効果のほか、突起に勾配を設けているため、ランプの押し込み操作無しに上下方向へランプがこじられた場合でも、嵌合突起を破壊することなくランプが着脱できる。
【００３１】
請求項１３記載の片口金ランプソケットは、請求項１において、前記ランプ挿脱位置と前記ランプ装着状態位置との間で前記ソケット本体を回動する際に弾性的に乗り越えることができる勾配を前記係合部に設けたものである。
【００３２】
請求項１３記載の片口金ランプソケットによれば、請求項１と同様な効果のほか、請求項１２と同様な効果がある。
【００３３】
請求項１４記載の片口金ランプソケットは、請求項２において、前記ソケット本体の前記溝穴に別の径の穴を設けたものである。
【００３４】
請求項１４記載の片口金ランプソケットによれば、請求項２と同様な効果のほか、ソケット本体の溝穴に別の径の穴を設けているため、回動操作だけ必要な他の取付台との使用が可能である。
【００３５】
請求項１５記載の片口金ランプソケットは、請求項１において、前記取付台が樹脂製であるものである。
【００３６】
請求項１５記載の片口金ランプソケットによれば、請求項１と同様な効果がある。
【００３７】
請求項１６記載の照明器具は、請求項１、請求項２、請求項３、請求項４、請求項５、請求項６、請求項７、請求項８、請求項９、請求項１０、請求項１１、請求項１２、請求項１３、請求項１４または請求項１５記載の片口金ランプソケットを用いたものである。
【００３８】
請求項１６記載の照明器具によれば、請求項１、請求項２、請求項３、請求項４、請求項５、請求項６、請求項７、請求項８、請求項９、請求項１０、請求項１１、請求項１２、請求項１３、請求項１４または請求項１５と同様な効果がある。
【００３９】
【発明の実施の形態】
この発明の第１の実施の形態を図１から図５により説明する。すなわち、この片口金ランプソケットは片口金蛍光灯用ソケットであり、ランプ装着状態位置（図１（ｃ）、（ｄ））のランプ軸方向Ａに対して、ある角度傾けたランプ挿脱位置（図１（ａ）、（ｂ））によりランプ１を挿脱可能とし、回動操作によってランプ装着状態位置に復帰するものである。
【００４０】
この片口金蛍光灯用ソケットは、ソケット本体２と、照明器具の器具本体の取付板３８に取付けられる取付台３と、回動機構部４と、係合部５を有し、いずれも樹脂製である。
【００４１】
取付台３は、器具本体への取付けを兼ねた背片８ａと一対の側片８からなる略逆Ｕ字形をなし、側片８の一端側に取付部９を設け、取付部９間を電線引出し口部１０で連結している。また側片８の他端側の背片８ａと反対側に切欠１２を形成し、ランプ１の装着時のソケット本体のランプ装着状態位置で図２に示すようにランプ口金１ａに設けた口金突起１３を切欠１２に係止させる。１１はそれぞれ取付穴であり、取付具（図示せず）により器具本体に取付けられる。
【００４２】
ソケット本体２は、後端が開口し前端のコーナ部より前方に断面略三角形で内向きの斜面が凹曲面となった柱状の受金部１４を突出した箱形をなし、前面にランプピン挿入穴１５を形成している。ソケット本体２の内部にはランプピン挿入穴１５に対応して、導電板で形成した給電用の速結端子１７付きランプピン保持部１６を配置し、開口を塞ぐカバー１８でランプピン保持部１６をソケット本体２とカバー１８との間に挾むように位置決め固定している。１９はランプピン保持部１６の係合部、２０は速結端子１７に電線を挿入させる電線挿入穴、２１はカバー係止爪であり、ソケット本体２に形成した係止孔２２に挿入し抜止め係止する。２３はランプ誤使用防止リブである。
【００４３】
回動機構部４は、取付台３とソケット本体２のいずれか一方に設けられた回転軸６と、他方に設けられて回転軸６が嵌合する溝穴７からなり、ソケット本体２を取付台３に回動自在に保持する。実施の形態では、回転軸６が取付台３の両側片８の内面の取付部９寄り（ランプ差し込み側と反対側）の位置に設けられている。また回転軸６の先端に溝穴７への係合を案内するガイド傾斜面６ａを取付部９と反対向き（ランプ差し込み方向）に形成している。溝穴７はソケット本体２の後端部の両側面にソケット本体の長手方向（ランプ差し込み方向）に長く形成し、その後端には回転軸６との係合を容易にするための切欠７ａを形成している。
【００４４】
係合部５は、ソケット本体２と取付台３にそれぞれ設けてランプ装着状態位置からランプ挿脱位置にソケット本体２が回動するのを規制する少なくとも１組の突起２４、２５を設けている。突起２４は取付台３の側片８の取付部９と反対側すなわちランプ差し込み側の内面に突設し、突起２５はソケット本体２の一対の受金部１４の外面に凸に形成している。 この場合、ソケット本体２をランプ装着状態位置からランプ挿脱位置へ回動する際に係合部５のソケット本体２側の突起２５が取付台３側の突起２４に弾性的に乗り越えることができる勾配を設けている。突起２４、２５はランプ装着状態（図１（ｄ））で係合する係合面２４ａ、２５ａに勾配が付いて傾斜しており、ソケット本体２をランプ挿脱位置の方向に引くと係合面２４ａ、２５ａに沿ってソケット本体２がスライドし回転軸６が溝穴７を移動して図１（ｂ）のように突起２４、２５の係合が外れる。
【００４５】
またソケット本体２を溝穴７に沿ってランプ軸方向Ａの前方にスライド移動させるための２本のスプリング３０を、ソケット本体２と取付台３との間に介設している。この場合、ランプ挿脱位置からランプ装着状態位置の方向にトルクを与えるように、回転軸６に対してスプリング３０をソケット本体２の外側（図１で下側）に配置している。
【００４６】
この結果、ソケット本体２は、回転軸６を中心にランプ挿脱位置とランプ装着状態位置との間を回動するとともに、溝穴７に沿って係合部５を係脱自在にランプ挿入方向にスライド移動可能である。
【００４７】
ランプ装着動作を図１により説明する。図１（ａ）はソケット本体２がランプ挿脱位置にあり、スプリング３０のばね力により、ソケット本体２が前方（ランプ差し込み側）に押し出され、溝穴７の後端に回転軸６が嵌合している。またスプリング３０の荷重が溝穴７の回転軸６より下方に加わるため、ソケット本体２に矢印Ｐの方向にトルクがかかりソケット本体２のランプ差し込み側が持ち上がり、突起２５が突起２４の下側に係止している。このソケット本体２のランプ挿脱位置でランプ１が挿脱される。
【００４８】
図１（ｂ）は図１（ａ）の状態からソケット本体２にランプ１を押し込み、そのためソケット本体２がスプリング３０のばね力に抗してスライドし、回転軸６が溝穴７の先端側に移動した状態であり、このとき突起２５が突起２４から外れた状態となる。
【００４９】
図１（ｃ）は、図１（ｂ）の状態からランプ１を持ち上げてソケット本体２を回転軸６を中心に回動した状態であり、突起２５が突起２４の上側に位置する。
【００５０】
図１（ｄ）は、図１（ｃ）の状態で手を離した状態であり、スプリング３０のばね力によりソケット本体２が前進して回転軸６が溝穴７の後端側に移動し、突起２５が突起２４に係合し、ランプ装着状態の位置となる。このとき、ランプ口金突起１３が切欠１２に係止するので、ランプ１はソケット本体２から抜けない。
【００５１】
この実施の形態によれば、ランプ装着機構がランプの電気接続機構と独立しているため、ランプ装着機構がランプピンと導電板の接触に影響を与えないので導通が安定する。また取付台３とソケット本体２の嵌合によってランプ１を保持するため、ランプ１の寸法ばらつきの影響を受けず安定してランプ保持ができる。
【００５２】
この発明の第２の実施の形態を図６に示す。すなわち、この片口金ランプソケットは、第１の実施の形態において、スプリング３０を４本にし、また係合部５を突起３５と、これに嵌合する凹部３６とで構成している。実施の形態ではソケット本体２に突起３５を突設し、取付台３に凹部３６を形成している。また電線引出し口部１０は４本のばね３０を支持するため第１の実施の形態よりも幅広に形成している。
【００５３】
スプリング３０を４本にすることにより各スプリング３０の荷重を小さくできるため、取付台３およびソケット本体２の樹脂のクリープを軽減できる。なお、ソケット本体２に凹部３６を形成し、取付台３に突起３５を形成してもよい。
【００５４】
その他は、第１の実施の形態と同様である。
【００５５】
この発明の第３の実施の形態を図７および図８に示す。すなわち、この片口金ランプソケットは、第１の実施の形態において、係合部５をソケット本体２の取付台３に接する面に設けている。実施の形態では、ソケット本体２の上面に一対のかぎ状の突起２５を設け、取付台３の背片８ａの下面にかぎ状の一対の突起２４を設けている。図８はソケット本体２のランプ装着状態であり、突起２４、２５が相嵌合しソケット本体２が取付台３に保持された状態である。
【００５６】
なお、突起２４、２５はそれぞれ一対ではなくそれぞれいずれか片方のみでもよく、その場合、一対の突起の間の中央位置に相当する位置に突起２４、２５を設けてもよい。
【００５７】
その他は、第１の実施の形態と同様である。
【００５８】
この発明の第４の実施の形態を図９（ａ）に示す。すなわち、この片口金ランプソケットは、第１の実施の形態とほぼ同様に、係合部５と回動機構部４とを、ソケット本体２に対して、その両側面の略対角の位置に配置している。図９（ａ）は突起２４、２５が回転軸６よりも上方にすなわち取付台３の背片８ａを取付ける器具本体の取付板３８に接近して位置するが、他の実施の形態として図９（ｂ）は回転軸６側を器具本体３８に接近し突起２４、２５をそれよりも下方に位置している。
【００５９】
その他は、第１の実施の形態と同様である。
【００６０】
この発明の第５の実施の形態を図１０（ａ）に示す。すなわち、この片口金ランプソケットは、第１の実施の形態において、係合部５と回動機構部４とを、ソケット本体２の長手方向に対して、略平行な位置に配置している。実施の形態では突起２４および回転軸６を取付台３の側片８の上方位置に配置し、突起２４を回転軸６よりもやや上方に配置し、これらに対応してソケット本体２に突起２５および溝穴７を設けているが、他の実施の形態として図１０（ｂ）では突起２４および回転軸６を側片８の下方位置に配置し、突起２４を回転軸６よりも下方に位置している。
【００６１】
この発明の第６の実施の形態を図１１および図１２に示す。すなわち、この片口金ランプソケットは、第１の実施の形態において、回動機構部４をソケット本体２の両側面２ａに設け、係合部５を回動機構部２と同じ両側面２ａの２箇所に設けている。実施の形態では、ソケット本体２の両側面２ａの上下幅方向の中央に沿った中心軸Ｑに対して上下両側に、第１の実施の形態と同様な構造の係合部５の突起２５および回転機構部４の溝穴７をそれぞれ形成している。一方取付台３の突起２５は突起２４のいずれかに対応し、かつ回転軸６を溝穴７のいずれかに対応して設ける。
【００６２】
このようにするとソケット本体２の上下を無関係に組み立てることができる。なお、ソケット本体２に回転軸６および係合部として凹部を設けるとき、これらの両方またはいずれか一方が２個ずつとなる。
【００６３】
その他は第１の実施の形態と同様である。
【００６４】
この発明の第７の実施の形態を図１３に示す。すなわち、この片口金ランプソケットは、第１の実施の形態において、回転軸６がソケット本体２に有し、溝穴７は取付台３に有する。実施の形態では、溝穴７が横Ｖ字形に貫通形成されその各端部がソケット本体２のランプ装着状態の姿勢とランプ挿脱の姿勢に沿っている。回転軸６が溝穴７の一端７ｋにあるときソケット本体２がランプ挿脱位置にあり、回転軸６が基端７ｂにあるときソケット本体２がスプリング３０に抗して溝穴７に沿って一端７ｋから基端７ｂへ移動し、さらにソケット本体２が回転した状態であり、手を離すとばね力により他端７ｃに移動する。これはランプ取付けの動作であり、ランプ取外しはこれと逆の動作となる。
【００６５】
その他は、第１の実施の形態と同様である。
【００６６】
この発明の第８の実施の形態を図１４に示す。すなわち、この片口金ランプソケットは、第１の実施の形態において、回動機構部４に係合部５の機能を持たせて突起２４、２５や凹部を省略している。回転軸６をソケット本体２の側面にその長手方向に延びた細長状とし、溝穴７を両端がソケット本体２のランプ挿脱位置およびランプ装着状態位置の方向に延びて付け根を幅広にした略横Ｙ字状に形成している。図１４（ｂ）において、回転軸６が溝穴７の一端７ｄにあるときがソケット本体２のランプ挿脱位置でありソケット本体２の姿勢が回転軸６が溝穴７の一端７ｄに嵌合することにより保持されている。この状態から回転軸６が付け根の一側７ｅに移動するときがソケット本体２を溝穴７に沿ってスプリング３０に抗して押し込んだ状態であり、付け根の他側７ｆがランプを持ち上げて回転した状態であり、他端７ｇがスプリング３０の復元力により前方に押し出されて移動し溝穴７の他端７ｇに位置し回転軸６がその他端７ｇに嵌合して姿勢が保持されたランプ装着状態位置である。
【００６７】
その他は第１の実施の形態と同様である。
【００６８】
この発明の第９の実施の形態を図１５から図１７に示す。すなわち、この片口金ランプソケットは、第１の実施の形態において、ソケット本体２の溝穴７に別の径の穴を設けている。図１５（ａ）は第１の実施の形態と同構成の取付台３、図１５（ｃ）は第１の実施の形態と同構成のソケット本体２であり、図１６（ａ）に示すように溝穴７と段違いに別の径の穴として円形凹部４０を形成している。この場合、第１の実施の形態と同様な動作が可能である。なお４１は電線引出し口部１０に設けたばね受け部である。つぎに図１５（ｂ）は取付台３の回転軸４２が径の異なるものを同軸に段に設けた例であり、電線引出し口部１０は設けていない。この回転軸４２を図１５（ｃ）のソケット本体２の溝穴７に嵌合したのが図１６（ｂ）であり、回転軸４２は円形凹部４０に嵌合しているためスライドできないで回動のみが可能となる。したがって、１つのソケット本体２に対して動作の違う２つのタイプの取付台３の使用が可能となる。ただし回転軸４２は嵌合が深くなり外れにくくなるのを避けるため、異径の段部を設けることなく円形凹部４０のみに嵌合する径で構成したものでよい。
【００６９】
図１７は溝穴７の種々の態様を示している。図１７（ａ）は図１５（ｃ）と同様な構成であり、溝穴７よりも円形凹部４０の径が大きく、深さは溝穴７の方が深い。図１７（ｂ）は溝穴７よりも円形凹部４０の径が大きく、深さは溝穴と等しい。図１７（ｃ）は溝穴７よりも円形凹部４０の径が小さく、深さは円形凹部４０の方が深い。図１７（ｄ）は図（ｂ）と図（ｃ）を組み合わせた例であり、ソケット本体２が回動のみするタイプの回転軸４２が溝穴７よりも径大のものと径小のものが利用できる。
【００７０】
この発明の第１０の実施の形態を図１８および図１９に示す。すなわち、この片口金ランプソケットは、第１の実施の形態において、図１９（ｃ）のように、ランプ挿脱位置とランプ装着状態位置との間でソケット本体２を回動する際に係合部５の相係合する突起２４、２５の係合面２４ａ、２４ｂ、２５ａ、２５ｂに弾性的に乗り越えることができる勾配を設けている。
【００７１】
図中、図１８および図１９（ｂ）は第１の実施の形態とほぼ同構成であり、図１９（ａ）は勾配のない場合を例示するものである。
【００７２】
図１９（ａ）ではスプリング３０に抗してソケット本体２の長手方向に押し込みながら、ソケット本体２を上下に回動させる。これらの突起２４、２５による位置決め水平な平面と平面で接するため下方への荷重に強い。
【００７３】
図１９（ｂ）では、第１の実施の形態で記載したように係合面２４ａ、２５ａに勾配を設けスプリング力によってランプ荷重による下方への力に耐えている。また通常のランプの外し操作はスプリング力に抗しソケット本体２の長手方向に押し込みながら下方に外すが、勾配があるため略垂直下方への外し力のみの場合でも係合面２４ａ、２５ａに沿って摺動できるので突起２４、２５を破壊することなくランプを外すことができる。
【００７４】
これに対して、図１９（ｃ）では、突起２４、２５の上下に勾配を設けているため、ランプ装着時においても略垂直上方向への力のみでよい。
【００７５】
この発明の第１１の実施の形態を図２０および図２１に示す。すなわち、この片口金ランプソケットは、第１の実施の形態において、ソケット本体２に回転軸６を設け、取付台３に溝穴７を形成した第７の実施の形態（図１３）と同様であるが、溝穴形状がＶ字形ではなく、略三角形である点が異なる。その他の構成および動作は第１の実施の形態および第７の実施の形態と同様である。
【００７６】
この発明の第１２の実施の形態を図２２に示す。すなわち、この照明器具は、第１の実施の形態から第１１の実施の形態に示したランプソケットのいずれかを照明器具に適用した例である。実施の形態では電気スタンドに適用している。５０はスタンドを兼ねた器具本体、５１は上記の実施の形態のランプソケットであり、取付台が器具本体５０に取付けられている。
【００７７】
【発明の効果】
請求項１記載の片口金ランプソケットによれば、ランプ装着機構がランプの電気接続機構と独立しているため、ランプ装着機構がランプピンと導電板の接触に影響を与えないので導通が安定する。また取付台とソケット本体の嵌合によってランプを保持するため、ランプの寸法ばらつきの影響を受けず安定してランプ保持ができる。
【００７８】
請求項２記載の片口金ランプソケットによれば、請求項１と同様な効果がある。
【００７９】
請求項３記載の片口金ランプソケットによれば、請求項１と同様な効果がある。
【００８０】
請求項４記載の片口金ランプソケットによれば、請求項１と同様な効果がある。
【００８１】
請求項５記載の片口金ランプソケットによれば、請求項４と同様な効果がある。
【００８２】
請求項６記載の片口金ランプソケットによれば、請求項１と同様な効果がある。
【００８３】
請求項７記載の片口金ランプソケットによれば、請求項１と同様な効果がある。
【００８４】
請求項８記載の片口金ランプソケットによれば、請求項７と同様な効果がある。
【００８５】
請求項９記載の片口金ランプソケットによれば、請求項７と同様な効果のほか、スプリングが回転軸に対して下方に配置されるため、ソケット本体の先端を持ち上げる方向にトルクがかかるので、ランプ未装着時のソケット本体の位置を突起の接触により規制でき、ランプ装着時にはランプを持ち上げる助けをするため、装着がスムースに行なえる。
【００８６】
請求項１０記載の片口金ランプソケットによれば、請求項４と同様な効果のほか、回動機構部と突起を対角に配置した場合は距離がとれるため、突起の乗り越えのための寸法設定に余裕ができ、小さな角度でのランプ装着が可能になる。
【００８７】
請求項１１記載の片口金ランプソケットによれば、請求項４と同様な効果がある。
【００８８】
請求項１２記載の片口金ランプソケットによれば、請求項１と同様な効果のほか、突起に勾配を設けているため、ランプの押し込み操作無しに上下方向へランプがこじられた場合でも、嵌合突起を破壊することなくランプが着脱できる。
【００８９】
請求項１３記載の片口金ランプソケットによれば、請求項１と同様な効果のほか、請求項１２と同様な効果がある。
【００９０】
請求項１４記載の片口金ランプソケットによれば、請求項２と同様な効果のほか、ソケット本体の溝穴に別の径の穴を設けているため、回動操作だけ必要な他の取付台との使用が可能である。
【００９１】
請求項１５記載の片口金ランプソケットによれば、請求項１と同様な効果がある。
【００９２】
請求項１６記載の照明器具によれば、請求項１、請求項２、請求項３、請求項４、請求項５、請求項６、請求項７、請求項８、請求項９、請求項１０、請求項１１、請求項１２、請求項１３、請求項１４または請求項１５と同様な効果がある。
【図面の簡単な説明】
【図１】この発明の第１の実施の形態の動作を説明する説明図である。
【図２】片口金ランプソケットにランプを装着した状態の斜視図である。
【図３】片口金ランプソケットの分解斜視図である。
【図４】片口金ランプソケットの斜視図である。
【図５】その分解斜視図である。
【図６】第２の実施の形態の分解斜視図である。
【図７】第３の実施の形態の分解斜視図である。
【図８】その片口金ランプソケットの断面図である。
【図９】（ａ）は第４の実施の形態の断面図であり、（ｂ）は別の実施の形態の断面図である。
【図１０】（ａ）は第５の実施の形態の断面図であり、（ｂ）は別の実施の形態の断面図である。
【図１１】第６の実施の形態の分解斜視図である。
【図１２】その片口金ランプソケットの断面図である。
【図１３】第７の実施の形態を示し、（ａ）はソケット本体の斜視図、（ｂ）は取付台の斜視図、（ｃ）は溝穴の拡大図である。
【図１４】（ａ）は第８の実施の形態の分解斜視図、（ｂ）はその溝穴の拡大図である。
【図１５】（ａ）は第９の実施の形態の取付台の斜視図、（ｂ）は別の実施の形態の取付台の斜視図、（ｃ）はソケット本体の斜視図である。
【図１６】溝穴の拡大断面図である。
【図１７】各種の溝穴の斜視図である。
【図１８】第１０の実施の形態の分解斜視図である。
【図１９】各種の突起の係合状態の断面図である。
【図２０】第１０の実施の形態の分解斜視図である。
【図２１】（ａ）は斜視図、（ｂ）はその溝穴の拡大図である。
【図２２】第１１の実施の形態の照明器具の斜視図である。
【符号の説明】
１    ランプ
２    ソケット本体
３    取付台
４    回動機構部
５    係合部
６    回転軸
７    溝穴
２４    突起
２４ａ    係合面
２４ｂ    係合面
２５    突起
２５ａ    係合面
２５ｂ    係合面
３０    スプリング
３５    突起
３６    凹部
４０    円形凹部
【図１】
0003883779.tif 000002
【図２】
0003883779.tif 000003
【図３】
0003883779.tif 000004
【図４】
0003883779.tif 000005
【図５】
0003883779.tif 000006
【図６】
0003883779.tif 000007
【図７】
0003883779.tif 000008
【図８】
0003883779.tif 000009
【図９】
0003883779.tif 000010
【図１０】
0003883779.tif 000011
【図１１】
0003883779.tif 000012
【図１２】
0003883779.tif 000013
【図１３】
0003883779.tif 000014
【図１４】
0003883779.tif 000015
【図１５】
0003883779.tif 000016
【図１６】
0003883779.tif 000017
【図１７】
0003883779.tif 000018
【図１８】
0003883779.tif 000019
【図１９】
0003883779.tif 000020
【図２０】
0003883779.tif 000021
【図２１】
0003883779.tif 000022
【図２２】
0003883779.tif 000023